(57)【要約】【課題】家屋や建物の内部等においてもテレビ放送を良好な受信品質で受信できるようにすると共に、通信用リソースの有効利用を図ることができる無線基地局および移動局を提供する。【解決手段】ＴＶチューナー１２１〜１２Ｎは、放送局からＴＶコンテンツを無線受信すると共に、デジタルテレビ放送のチャンネルを順次選局し、電子番組表の情報を受信して電子番組表を作成する。セルラー帯送信ＲＦ部１８は、ＴＶチューナー１２１〜１２Ｎで受信したＴＶコンテンツと共に電子番組表の情報をブロードキャスト／マルチキャストで送信する。また、セルラー帯送信ＲＦ部１８は、複数のＴＶコンテンツをブロードキャスト／マルチキャストで送信するときは、コンテンツの数に応じてコンテンツへのリソースの割り当てを変更して送信する。【選択図】図１
2013038513.tif 000002
【特許請求の範囲】
【請求項１】
放送局からデジタル放送のコンテンツを無線受信する受信部と、前記受信部で受信したデジタル放送のコンテンツをブロードキャストまたはマルチキャストで送信する送信部とを備える移動局用の無線基地局であって、
前記受信部は、電子番組表の情報を受信し、前記送信部は、前記デジタル放送のコンテンツと共に前記電子番組表の情報をブロードキャストまたはマルチキャストで送信することを特徴とする無線基地局。
【請求項２】
前記受信部は、前記デジタル放送のチャンネルを順次選局して前記電子番組表を作成することを特徴とする請求項１に記載の無線基地局。
【請求項３】
前記送信部は、複数のコンテンツをブロードキャストまたはマルチキャストで送信するときは、前記コンテンツの数に応じて前記コンテンツへのリソースの割り当てを変更して送信することを特徴とする請求項１または２に記載の無線基地局。
【請求項４】
位置登録した無線基地局からデジタル放送のコンテンツをブロードキャストまたはマルチキャストで受信する第１の受信部と、
放送局からデジタル放送のコンテンツを受信する第２の受信部とを備え、
前記第２の受信部で受信するデジタル放送のチャンネルの受信品質が悪いときは、受信品質が悪かったチャンネルのコンテンツを前記第１の受信部で受信することを特徴とする移動局。
【請求項５】
位置登録した無線基地局からデジタル放送のコンテンツをブロードキャストまたはマルチキャストで受信する第１の受信部と、
放送局からデジタル放送のコンテンツを受信する第２の受信部とを備え、
前記第２の受信部でデジタル放送のコンテンツを受信しているときにチャンネルの選局が行われて、選局されたチャンネルの受信品質が悪いときは、受信品質が悪かったチャンネルのコンテンツを前記第１の受信部で受信することを特徴とする移動局。
【請求項６】
位置登録した無線基地局からデジタル放送のコンテンツをブロードキャストまたはマルチキャストで受信すると共に電子番組表の情報を受信する受信部と、
情報を表示する表示部とを備え、
前記受信部で前記デジタル放送のコンテンツを受信しているときにチャンネルの選局する際に、前記受信部を介して受信した前記電子番組表の情報を前記表示部に表示することを特徴とする移動局。
【発明の詳細な説明】
【技術分野】
【０００１】
本発明は、ブロードバンド回線を介して移動体通信システムに接続される超小型の無線基地局と、その無線基地局に収容される移動局に関する。
【背景技術】
【０００２】
近年、移動体通信用の機器、特に携帯電話端末は急速に普及し、人が住んでるエリアのほとんどで通信が可能となっている。しかしながら、家屋や建物の内部の空間や立地状況が悪い場所では、通常の既存無線基地局（即ち、広域無線基地局）からの電波が届かず圏外となったり、電波が弱く通信が安定しないエリアが存在したりしている。このような圏外となるエリアに対応するものとして、出力電力が小さく、半径数メートル〜数１０メートル程度のセル（サービスエリア）を提供する超小型の無線基地局が開発されている。このような超小規模のセル自体、或いは、当該セルを提供する超小型の無線基地局をフェムトセル（Home eNode B）と称する。
【０００３】
一方、一般家庭においても、光回線、ＡＤＳＬなどのブロードバンド回線の常時接続が普及しているため、フェムトセルと移動体通信システムを接続する環境（バックボーン）は整いつつある。さらに、通信事業者としては、フェムトセルおよびブロードバンド回線の利用によって、本来消費されるはずであった通常の既存無線基地局の帯域を使わずに済むというメリットもある。従って、近い将来、フェムトセルの本格的な開発および使用が期待されている。
【０００４】
また、従来技術として、基地局制御局にてテレビ放送情報を受信し、受信したテレビ放送情報を、テレビ放送の配信に用いられる伝送フォーマットから移動体通信に用いられる伝送フォーマットに変換して、基地局を経由して携帯電話端末にテレビ放送を送信するシステムが提案されている（特許文献１参照）。
【先行技術文献】
【特許文献】
【０００５】
【特許文献１】特開２００４−４０５３１号公報
【発明の概要】
【発明が解決しようとする課題】
【０００６】
ところで、現在の携帯電話端末は、テレビ放送を受信するために、テレビ受像装置を内蔵しているものが多いが、家屋や建物の内部等では、テレビ放送局からのテレビ放送の電波も弱く、テレビ放送を良好な受信品質で受信できないことが多い。
また、上述した特許文献１に記載のシステムでは、通信チャネルは、１対１の回線交換もしくはパケット交換の通信をさすものと解釈できる。複数の人が同時に同じ放送コンテンツを受信するときに、ユニキャストで受信する場合には、下りの通信用リソースを重複して消費してしまい、限られた帯域しかない移動体通信のための帯域を圧迫して、他の携帯電話端末に影響を及ぼす可能性がある。
また、多くの人は、視聴するコンテンツを決定する前にザッピングと呼ばれる動作を行う。これは、次々に番組を切り替えて所望の受信番組を選択する行為である。基地局に内蔵されたチューナーを使ってザッピングを行う場合には、上り通信チャネルを使って携帯電話端末から基地局のチューナーに指示を送る必要がある。これは本来、通信に使用する基地局の通信用リソースを、通信に関係のないコンテンツ視聴のために消費してしまう点で問題である。
【０００７】
本発明は、このような問題点に鑑みてなされたものであり、本発明の目的は、家屋や建物の内部等においてもテレビ放送を良好な受信品質で受信できるようにすると共に、通信用リソースの有効利用を図ることができる無線基地局および移動局を提供することにある。
【課題を解決するための手段】
【０００８】
上記目的を達成するため、本発明の無線基地局は、放送局からデジタル放送のコンテンツを無線受信する受信部と、前記受信部で受信したデジタル放送のコンテンツをブロードキャストまたはマルチキャストで送信する送信部とを備える移動局用の無線基地局であって、前記受信部が、電子番組表の情報を受信し、前記送信部は、前記デジタル放送のコンテンツと共に前記電子番組表の情報をブロードキャストまたはマルチキャストで送信することを特徴とする。
【０００９】
前記受信部は、前記デジタル放送のチャンネルを順次選局して前記電子番組表を作成することが好ましく、前記送信部は、複数のコンテンツをブロードキャストまたはマルチキャストで送信するときは、前記コンテンツの数に応じて前記コンテンツへのリソースの割り当てを変更して送信することが好ましい。
【００１０】
また、本発明の移動局は、位置登録した無線基地局からデジタル放送のコンテンツをブロードキャストまたはマルチキャストで受信する第１の受信部と、放送局からデジタル放送のコンテンツを受信する第２の受信部とを備え、前記第２の受信部で受信するデジタル放送のチャンネルの受信品質が悪いときは、受信品質が悪かったチャンネルのコンテンツを前記第１の受信部で受信することを特徴とする。
【００１１】
また、本発明の移動局は、位置登録した無線基地局からデジタル放送のコンテンツをブロードキャストまたはマルチキャストで受信する第１の受信部と、放送局からデジタル放送のコンテンツを受信する第２の受信部とを備え、前記第２の受信部でデジタル放送のコンテンツを受信しているときにチャンネルの選局が行われて、選局されたチャンネルの受信品質が悪いときは、受信品質が悪かったチャンネルのコンテンツを前記第１の受信部で受信することを特徴とする。
【００１２】
また、本発明の移動局は、位置登録した無線基地局からデジタル放送のコンテンツをブロードキャストまたはマルチキャストで受信すると共に電子番組表の情報を受信する受信部と、情報を表示する表示部とを備え、前記受信部で前記デジタル放送のコンテンツを受信しているときにチャンネルの選局する際に、前記受信部を介して受信した前記電子番組表の情報を前記表示部に表示することを特徴とする。
【発明の効果】
【００１３】
本発明は、テレビ放送のコンテンツを送信するようにしているので、家屋や建物の内部等においてもテレビ放送を良好な受信品質で受信できるようにすることができるとともに、テレビ放送のコンテンツをマルチキャストチャネルを用いて送信するので、複数のユーザが同時に同じチャンネルを受信する場合において下り周波数リソースを共用することができ、また、電子番組情報を送信するので、ユーザは現在送信されているテレビ放送のコンテンツを知ることができ、ユーザの選択するコンテンツが既にマルチキャストチャネルで送信されている場合には、上り通信チャネルを使って携帯電話端末から基地局チューナーに指示を送る必要がなくなるので、通信用リソースの有効利用を図ることができる。
【図面の簡単な説明】
【００１４】
【図１】本発明のフェムトセル基地局の内部構成の一例を示すブロック図である。
【図２】本発明のフェムトセル基地局から送信される下り信号のスロット割り当て例を示す図である。
【図３】本発明のフェムトセル基地局と携帯電話端末の基本の動作を説明するフローチャートである。
【図４】ユーザがＴＶチャンネルをザッピングするときのフェムトセル基地局と携帯電話端末の動作を説明するフローチャートである。
【図５】携帯電話端末がフェムトセル基地局のＴＶチューナーを使用してＴＶコンテンツを受信中にユーザがザッピングを行うときのフェムトセル基地局と携帯電話端末の動作を説明するフローチャートである。
【図６】本発明のフェムトセル基地局のＴＶチューナーの動作を説明するフローチャートである。
【図７】携帯電話端末が１台の場合のリソースの分割とＴＶ画像のデータレートの調節を説明するフローチャートである。
【図８】携帯電話端末が２台の場合のリソースの分割とＴＶ画像のデータレートの調節を説明するフローチャートである。
【図９】携帯電話端末が４台以上の場合のリソースの分割とＴＶ画像のデータレートの調節を説明するフローチャートである。
【図１０】フェムトセル基地局から送信される電子番組情報に基づいて携帯電話端末で作成される電子番組表の一例を示す図である。
【発明を実施するための形態】
【００１５】
本発明の実施の形態について図面を参照して説明する。図１は、本発明のフェムトセル基地局の内部構成の一例を示すブロック図である。なお、本発明をＣＤＭＡ２０００ １ｘＥＶＤＯのＢＣＭＣＳ（Broadcast/Multicast Services）を例に説明するが、本発明は、その他の移動体通信ネットワークのブロードキャスト／マルチキャストの配信サービスを用いることができる。
【００１６】
フェムトセル基地局１０（無線基地局）は、ＴＶアンテナ１１と、デジタルテレビ放送を受信選局するＴＶチューナー１２１〜１２Ｎ（受信部）と、ＴＶチューナー１２１〜１２Ｎを制御するチューナー制御部１３１〜１３Ｎと、マルチキャストチャネルにデジタルテレビ放送コンテンツ（以下、ＴＶコンテンツという）を挿入するマルチプレクサ１４と、マルチキャストチャネルの信号の変調を行うマルチキャストチャネルベースバンド部１５と、ユニキャストチャネルの信号の変調を行うユニキャストチャネルベースバンド部１６と、ユニキャストチャネルの信号の復調を行うユニキャストチャネルベースバンド部１７と、携帯電話端末（移動局）と通信するためのセルラー信号を送信するセルラー帯送信ＲＦ部１８（送信部）と、携帯電話端末と通信するためのセルラー信号を受信するセルラー帯受信ＲＦ部１９と、セルラー信号の送受信を可能にするデュプレックス（ＤＵＰ）２０と、セルラー帯アンテナ２１と、装置全体の制御を行う制御部２２と、インターネットなどのブローバンド回線と接続するためのネットワークインターフェース部２３とを備えている。
【００１７】
ＴＶチューナー１２１〜１２Ｎ（受信部）は、放送局からＴＶコンテンツを無線受信すると共に、デジタルテレビ放送のチャンネルを順次選局し、電子番組表の情報を受信して電子番組表を作成する。なお、デジタルテレビ放送は、ワンセグテレビ放送、地上デジタルテレビ放送、ＢＳデジタルテレビ放送等を含むものとする。
セルラー帯送信ＲＦ部１８（送信部）は、ＴＶチューナー１２１〜１２Ｎで受信したＴＶコンテンツと共に電子番組表の情報をブロードキャスト／マルチキャストで送信する。また、セルラー帯送信ＲＦ部１８は、複数のＴＶコンテンツをブロードキャスト／マルチキャストで送信するときは、コンテンツの数に応じてコンテンツへのリソースの割り当てを変更して送信する。
【００１８】
図２は、本発明のフェムトセル基地局から送信される下り信号のスロット割り当て例を示す図である。時分割された下りスロットのうち、周期的にあるスロットをマルチキャストチャネルとする。このチャネルに、ＴＶコンテンツを挿入する。フェムトセル基地局１０が１つのＴＶコンテンツを受信している場合には、マルチキャストチャネルを占有して１つのＴＶコンテンツ（例えば、チューナー１のコンテンツ）を送出する。フェムトセル基地局１０が２つのＴＶコンテンツを受信している場合には、２つのＴＶコンテンツをマルチプレクスした後にマルチキャストチャネルを使用して２つのＴＶコンテンツ（例えば、チューナー１、２のコンテンツ）を送出する。フェムトセル基地局１０が２以上のＴＶコンテンツを受信している場合には、ＴＶコンテンツの数に応じてマルチプレクスした後にマルチキャストチャネルを使用してＴＶコンテンツ（例えば、チューナー１、３、４のコンテンツ）を送出する。
マルチキャストチャネルのリソースの分配については、等分、視聴数の多いチャンネル優先、予め多くの視聴が予測されるコンテンツ優先などいくつかのポリシーを選択することができる。
このようにフェムトセル基地局１０は、複数のＴＶコンテンツを送信する場合には、マルチキャストチャネルのリソースを分配するので不必要にユニキャストチャネルのリソースを消費することがない。
【００１９】
図３は、本発明のフェムトセル基地局と携帯電話端末の基本の動作を説明するフローチャートである。携帯電話端末３０は、フェムトセル基地局１０と無線通信可能な圏内に入ると、フェムトセル基地局１０から報知情報メッセージおよび電子番組表の情報を受信し（Ｓ１０１）、フェムトセル基地局１０に位置登録メッセージを送信し（Ｓ１０２）、フェムトセル基地局１０から位置登録確認メッセージを受信する（Ｓ１０３）。
【００２０】
携帯電話端末３０は、テレビ放送を受信するためのＴＶアプリケーションプログラムを起動して、自端末のチューナー（第２の受信部）で、放送局から送信されたワンセグ放送のテレビ視聴を開始し（Ｓ１０４）、自端末のチューナーで受信するＴＶコンテンツの受信品質が十分な場合（Ｓ１０５でＹＥＳの場合）は、そのまま自端末のチューナーでＴＶコンテンツの受信を開始する（Ｓ１１５）。自端末のチューナーで受信するＴＶコンテンツの受信品質が不十分な場合（Ｓ１０５でＮＯの場合）は、携帯電話端末３０は、受信品質が不十分なコンテンツを、自端末のセルラー受信部（第１の受信部）から受信することを決定する。即ち、フェムトセル基地局１０のＴＶアプリケーションプログラムを使用してフェムトセル基地局１０からＴＶコンテンツを受信することを決定する（Ｓ１０６）。携帯電話端末３０は、フェムトセル基地局１０にトラフィックチャネルを要求し、トラフィックチャネルを確立する（Ｓ１０７）。その後、携帯電話端末３０は、フェムトセル基地局１０のチューナー制御部１３に対してＴＶコンテンツ要求メッセージを送出する（Ｓ１０８）。
【００２１】
フェムトセル基地局１０のチューナー制御部１３は、携帯電話端末３０からのＴＶコンテンツの送出要求に従ってＴＶチューナー１２を所望のチャンネルに設定し（Ｓ１０９）、マルチキャストチャネルを使用してコンテンツの送出を開始する（Ｓ１１０）。携帯電話端末３０は、フェムトセル基地局１０からＴＶコンテンツ要求確認メッセージを受信し（Ｓ１１１）、マルチキャストチャネル移行指示メッセージを受信すると（Ｓ１１２）、トラフィックチャネルを開放し（Ｓ１１３）、マルチキャストチャネルに移行し（Ｓ１１４）、ＴＶコンテンツの受信を開始する（Ｓ１１５）。
【００２２】
フェムトセル基地局１０は、ブロードキャストチャネルやマルチキャストチャネル上でフェムトセル基地局１０のＴＶチューナー１２のステータス情報や電子番組情報を流しても良い。電子番組情報は、チャンネル毎に一定時間間隔で送出され、３０秒ほど視聴すると最大１０番組先の電子番組情報を取得できる。これをフェムトセル基地局１０のＴＶチューナー１２で予め取得し、ブロードキャストチャネルやマルチキャストチャネル上で送出しても良い。フェムトセル基地局１０のＴＶチューナー１２のステータスと、携帯電話端末３０の要求するＴＶコンテンツ（チャンネル）が一致している場合は、携帯電話端末３０は、フェムトセル基地局１０にＴＶコンテンツの送出要求をせず、ただちにマルチキャストチャネルの受信に移行しても良い。
【００２３】
図４は、ユーザがＴＶチャンネルをザッピングするときのフェムトセル基地局と携帯電話端末の動作を説明するフローチャートである。携帯電話端末３０は、フェムトセル基地局１０と無線通信可能な圏内に入ると、フェムトセル基地局１０から報知情報メッセージおよび電子番組表の情報を受信し（Ｓ２０１）、フェムトセル基地局１０に位置登録メッセージを送信し（Ｓ２０２）、フェムトセル基地局１０から位置登録確認メッセージを受信する（Ｓ２０３）。
【００２４】
携帯電話端末３０は、テレビ放送を受信するためのＴＶアプリケーションプログラムを起動して、自端末のチューナー（第２の受信部）で、放送局から送信されたワンセグ放送のテレビ視聴を開始する（Ｓ２０４）。ここで、ユーザによりＴＶチャンネルのザッピングが行われ、視聴するチャンネルの選択が行われると（Ｓ２０５）、押しボタンやタイマーを監視して、視聴するチャンネルの選択が完了したか否かを判定する（Ｓ２０６）。例えば、ある一定時間、特定のＴＶチャンネルを視聴しているときなどの場合は、視聴するチャンネルの選択が完了したものと判定する。
【００２５】
チャンネルが選択され、選択されたチャンネルのコンテンツの受信品質が十分な場合（Ｓ２０７でＹＥＳの場合）は、そのまま自端末のチューナーでＴＶコンテンツの受信を開始する（Ｓ２１７）。自端末のチューナーで受信するＴＶコンテンツの受信品質が不十分な場合（Ｓ２０７でＮＯの場合）は、携帯電話端末３０は、選択されたチャンネルのコンテンツを、自端末のセルラー受信部（第１の受信部）から受信することを決定する。即ち、フェムトセル基地局のＴＶアプリケーションプログラムを使用してフェムトセル基地局からＴＶコンテンツを受信することを決定する（Ｓ２０８）。携帯電話端末３０は、フェムトセル基地局１０にトラフィックチャネルを要求し、トラフィックチャネルを確立する（Ｓ２０９）。その後、携帯電話端末３０は、フェムトセル基地局１０のチューナー制御部１３に対してＴＶコンテンツ要求メッセージを送出する（Ｓ２１０）。
【００２６】
フェムトセル基地局１０のチューナー制御部１３は、携帯電話端末３０からのＴＶコンテンツの送出要求に従ってＴＶチューナー１２を所望のチャンネルに設定し（Ｓ２１１）、マルチキャストチャネルを使用してコンテンツの送出を開始する（Ｓ２１２）。携帯電話端末３０は、フェムトセル基地局１０からＴＶコンテンツ要求確認メッセージを受信し（Ｓ２１３）、マルチキャストチャネル移行指示メッセージを受信すると（Ｓ２１４）、トラフィックチャネルを開放し（Ｓ２１５）、マルチキャストチャネルに移行し（Ｓ２１６）、ＴＶコンテンツの受信を開始する（Ｓ２１７）。
【００２７】
フェムトセル基地局１０は、ブロードキャストチャネルやマルチキャストチャネル上でフェムトセル基地局１０のＴＶチューナー１２のステータスや電子番組情報を送信しても良い。電子番組情報は、チャンネル毎に一定時間間隔で送出され、３０秒ほど視聴すると最大１０番組先の電子番組情報を取得できる。これをフェムトセル基地局１０のＴＶチューナー１２で予め取得し、ブロードキャストチャネルやマルチキャストチャネル上で送出しても良い。フェムトセル基地局１０のＴＶチューナー１２のステータスと、携帯電話端末３０の要求するＴＶコンテンツ（チャンネル）が一致している場合は、携帯電話端末３０は、フェムトセル基地局１０にＴＶコンテンツの送出要求をせず、ただちにマルチキャストチャネルの受信に移行しても良い。
【００２８】
図５は、携帯電話端末がフェムトセル基地局のＴＶチューナーを使用してＴＶコンテンツを受信中に、ユーザがザッピングを行うとき（ＣＭ中などに他のチャンネルのザッピングを行うとき）のフェムトセル基地局と携帯電話端末の動作を説明するフローチャートである。携帯電話端末３０のセルラー受信部は、フェムトセル基地局１０のＴＶチューナー１２を使用してマルチキャストチャネル経由でＴＶコンテンツを受信中に（Ｓ３０１）、フェムトセル基地局１０から、マルチキャストチャネル経由で自チャンネルおよび他チャンネルの電子番組情報を予め受信しておく（Ｓ３０２）。
【００２９】
携帯電話端末３０は、マルチキャストチャネル経由でＴＶコンテンツを受信しているときに、ユーザからチャンネル変更を指示されると（Ｓ３０３）、最初の数秒間は、自端末の、情報を表示する表示部に、電子番組情報に基づいてコンテンツタイトルの表示を行い（Ｓ３０４）、押しボタンやタイマーを監視して、視聴するチャンネル（コンテンツ）の選択が完了したか否かを判定する（Ｓ３０５）。例えば、選択ボタン押し、チャンネルボタンの２度押し、ダブルクリック、一定時間の経過（タイマーのタイムアウト）などの確定の動作が行われた場合、視聴するチャンネルの選択が完了したものと判定する。
【００３０】
チャンネル（コンテンツ）の変更でない場合（Ｓ３０６でＮＯの場合）は、そのまま携帯電話端末３０がフェムトセル基地局１０のＴＶチューナー１２を使用して、マルチキャストチャネル経由でＴＶコンテンツを受信する（Ｓ３１５）。チャンネル（コンテンツ）の変更の場合（Ｓ３０６でＹＥＳの場合）は、携帯電話端末３０は、フェムトセル基地局１０にトラフィックチャネルを要求し、トラフィックチャネルを確立する（Ｓ３０７）。その後、携帯電話端末３０は、フェムトセル基地局１０のチューナー制御部１３に対してＴＶコンテンツ要求メッセージを送出する（Ｓ３０８）。
【００３１】
フェムトセル基地局１０のチューナー制御部１３は、携帯電話端末３０からのＴＶコンテンツの送出要求に従ってＴＶチューナー１２を所望のチャンネルに設定し（Ｓ３０９）、マルチキャストチャネルを使用してコンテンツの送出を開始する（Ｓ３１０）。携帯電話端末３０は、フェムトセル基地局１０からＴＶコンテンツ要求確認メッセージを受信し（Ｓ３１１）、マルチキャストチャネル移行指示メッセージを受信すると（Ｓ３１２）、トラフィックチャネルを開放し（Ｓ３１３）、マルチキャストチャネルに移行し（Ｓ３１４）、ＴＶコンテンツの受信を開始する（Ｓ３１５）。
【００３２】
図６は、本発明のフェムトセル基地局のＴＶチューナーの動作を説明するフローチャートである。フェムトセル基地局１０のＴＶチューナー１２１（以下、チューナー１という）は、テレビ放送波を順次チャンネルを変更しながら受信して電子番組情報を取得し（Ｓ４０１）、電子番組情報を更新する（Ｓ４０２）。更新された電子番組情報は、マルチキャストチャネルにより一定周期で携帯電話端末３０に送信される。
【００３３】
チューナー１は、携帯電話端末３０から放送コンテンツの送出要求があると（Ｓ４０３でＹｅｓの場合）、当該コンテンツのチャンネルに変更して（Ｓ４０４）、マルチキャストチャネルで送出するコンテンツの受信を開始する（Ｓ４０５）。コンテンツの受信を開始すると、チューナー１は他のチャンネルの電子番組情報の取得ができなくなるので待機中のチューナー１２２（以下、チューナー２という）を使用して電子番組情報の取得を開始する（Ｓ４０６）。以後、チューナー２は、チューナー１と同様の処理を行う。
【００３４】
図７〜図９は、フェムトセル基地局から送出されるコンテンツが追加される毎にマルチキャストチャネルのリソースを分割し、それに合わせてＴＶ画像のデータレートを調節する処理を説明する図である。
【００３５】
図７は、携帯電話端末が１台の場合の処理を説明するフローチャートである。携帯電話端末３０は、フェムトセル基地局１０と無線通信可能な圏内に入ると、フェムトセル基地局１０に位置登録を行い（Ｓ５０１）、ＴＶアプリケーションプログラムを起動（ＯＮ）する（Ｓ５０２）。携帯電話端末３０が、フェムトセル基地局１０にＴＶチューナーコントロールメッセージを送ると、フェムトセル基地局１０はチューナーをＯＮにする（Ｓ５０３）。フェムトセル基地局１０は、携帯電話端末３０にＴＶチューナーコントロールメッセージＡＣＫを送り（Ｓ５０４）、マルチキャストチャネルにＴＶパケットを挿入する（Ｓ５０５）。
【００３６】
携帯電話端末３０が、ＴＶアプリケーションプログラムを終了（ＯＦＦ）し（Ｓ５０６）、フェムトセル基地局１０にＴＶチューナーコントロールメッセージを送ると、フェムトセル基地局１０はチューナーをＯＦＦにする（Ｓ５０７）。フェムトセル基地局１０は、携帯電話端末３０にＴＶチューナーコントロールメッセージＡＣＫを送り（Ｓ５０８）、マルチキャストチャネルにＴＶパケットを挿入することを中止する（Ｓ５０９）。
【００３７】
図８は、携帯電話端末が２台の場合の処理を説明するフローチャートである。図８では、２台の携帯電話端末３０を携帯電話端末Ａ、Ｂと記す。携帯電話端末Ａ、Ｂは、フェムトセル基地局１０との無線通信が可能な圏内に入ると、フェムトセル基地局１０に位置登録を行う（Ｓ６０１）。携帯電話端末Ａが、ＴＶアプリケーションプログラムを起動（ＯＮ）し（Ｓ６０２）、フェムトセル基地局１０にＴＶチューナーコントロールメッセージを送ると、フェムトセル基地局１０はチューナーをＯＮにする（Ｓ６０３）。フェムトセル基地局１０は、携帯電話端末ＡにＴＶチューナーコントロールメッセージＡＣＫを送り（Ｓ６０４）、マルチキャストチャネルにＴＶパケットを挿入する（Ｓ６０５）。
【００３８】
携帯電話端末Ｂが、ＴＶアプリケーションプログラムを起動（ＯＮ）し（Ｓ６０６）、フェムトセル基地局１０にＴＶチューナーコントロールメッセージを送ると、フェムトセル基地局１０はチューナーをＯＮにする（Ｓ６０７）。フェムトセル基地局１０は、携帯電話端末ＢにＴＶチューナーコントロールメッセージＡＣＫを送り（Ｓ６０８）、マルチキャストチャネルにヘッダーの異なる２つのＴＶパケットを挿入し、ＴＶ画像のデータレートを各々１／２に下げる（Ｓ６０９）。
【００３９】
携帯電話端末Ａが、ＴＶアプリケーションプログラムを終了（ＯＦＦ）し（Ｓ６１０）、携帯電話端末Ａからフェムトセル基地局１０にＴＶチューナーコントロールメッセージを送ると、フェムトセル基地局１０はチューナーをＯＦＦにする（Ｓ６１１）。フェムトセル基地局１０は、携帯電話端末ＡにＴＶチューナーコントロールメッセージＡＣＫを送り（Ｓ６１２）、マルチキャストチャネルに挿入していた２つのＴＶパケットのうち携帯電話端末Ａから指示のあったＴＶパケットの挿入を中止し、ＴＶ画像のデータレートを２倍に上げる（Ｓ６１３）。
【００４０】
携帯電話端末Ｂが、ＴＶアプリケーションプログラムを終了（ＯＦＦ）し（Ｓ６１４）、フェムトセル基地局１０にＴＶチューナーコントロールメッセージを送ると、フェムトセル基地局１０はチューナーをＯＦＦにする（Ｓ６１５）。フェムトセル基地局１０は、携帯電話端末ＢにＴＶチューナーコントロールメッセージＡＣＫを送り（Ｓ６１６）、マルチキャストチャネルにＴＶパケットを挿入することを中止する（Ｓ６１７）。
【００４１】
図９は、フェムトセル基地局がＴＶチューナーを４台備え、携帯電話端末が４台以上の場合の処理を説明するフローチャートである。図９では、４台以上の携帯電話端末３０を携帯電話端末Ａ、Ｂ、Ｃ、Ｄ・・・と記す。携帯電話端末Ａ、Ｂ、Ｃ、Ｄは、フェムトセル基地局１０との無線通信が可能な圏内に入ると、フェムトセル基地局１０に位置登録を行う（Ｓ７０１）。携帯電話端末Ａが、ＴＶアプリケーションプログラムを起動（ＯＮ）し（Ｓ７０２）、携帯電話端末Ａからフェムトセル基地局１０にＴＶチューナーコントロールメッセージを送ると、フェムトセル基地局１０はチューナーをＯＮにする（Ｓ７０３）。フェムトセル基地局１０は、携帯電話端末ＡにＴＶチューナーコントロールメッセージＡＣＫを送り（Ｓ７０４）、マルチキャストチャネルにＴＶパケットを挿入する（Ｓ７０５）。
【００４２】
携帯電話端末Ｂが、ＴＶアプリケーションプログラムを起動（ＯＮ）し（Ｓ７０６）、携帯電話端末Ｂからフェムトセル基地局１０にＴＶチューナーコントロールメッセージを送ると、フェムトセル基地局１０はチューナーをＯＮにする（Ｓ７０７）。フェムトセル基地局１０は、携帯電話端末ＢにＴＶチューナーコントロールメッセージＡＣＫを送り（Ｓ７０８）、マルチキャストチャネルにヘッダーの異なる２つのＴＶパケットを挿入し、ＴＶ画像のデータレートを各々１／２に下げる（Ｓ７０９）。
【００４３】
以下、携帯電話端末Ｃ、携帯電話端末Ｄと、ＴＶアプリケーションプログラムを起動（ＯＮ）する毎に、フェムトセル基地局１０にＴＶチューナーコントロールメッセージを送ってフェムトセル基地局１０のチューナーをＯＮにし、ＯＮにしたチューナーの台数に応じてＴＶ画像のデータレートを１／３、１／４に下げる（Ｓ７１０）。
【００４４】
さらに、携帯電話端末Ｅが、フェムトセル基地局１０に内蔵しているチューナーの数以上にＴＶアプリケーションプログラムを起動（ＯＮ）し（Ｓ７１１）、フェムトセル基地局１０にＴＶチューナーコントロールメッセージを送ると（Ｓ７１２）、フェムトセル基地局１０は、携帯電話端末ＥにＴＶチューナーコントロール拒否メッセージを送る（Ｓ７１３）。
【００４５】
携帯電話端末Ｅは、ＴＶチューナーコントロール拒否メッセージを受けると、ＴＶアプリケーションプログラムを中止し、もしくは自端末に内蔵されたチューナーにて画像の再生を開始する（Ｓ７１４）。
【００４６】
携帯電話端末Ａ〜Ｄのうちの１つの携帯電話端末ｘが、ＴＶアプリケーションプログラムを終了（ＯＦＦ）し（Ｓ７１５）、その携帯電話端末ｘからフェムトセル基地局１０にＴＶチューナーコントロールメッセージを送ると、フェムトセル基地局１０は対応するチューナーをＯＦＦにする（Ｓ７１６）。フェムトセル基地局１０は、携帯電話端末ｘにＴＶチューナーコントロールメッセージＡＣＫを送り（Ｓ７１７）、マルチキャストチャネルに挿入していたＴＶパケットのうち指示のあった携帯電話端末ｘ向けのＴＶパケットの挿入を中止し、ＴＶ画像のデータレートを、同時に送信しているコンテンツ（ＴＶチャンネル）の数に応じて決定する（Ｓ７１８）。
【００４７】
図１０は、フェムトセル基地局から送信される電子番組情報に基づいて携帯電話端末で作成される電子番組表の一例を示す図である。電子番組表には、携帯電話端末３０で受信できるテレビ放送のコンテンツ、および現時点でフェムトセル基地局１０のチューナー１２で受信し、マルチキャストチャネルで送信しているコンテンツを表示する。図１０に示す例では、携帯電話端末３０が、フェムトセル基地局１０から、４つの放送局Ａ、Ｂ、Ｃ、Ｄのテレビ放送を受信でき、そのうち、フェムトセル基地局１０から、現時点で、放送局Ｂのスポーツ中継「Ａチーム対Ｂチーム」のコンテンツと、放送局Ｄのアニメ「ＸＸＸ」のコンテンツが送信されていることを示している。現時点で送信しているコンテンツは、コンテンツ名を色違いまたは濃淡の違いで表示するのが好ましい。また、コンテンツ名の色違いまたは濃淡の違いで、フェムトセル基地局１０からで送信しているコンテンツのＴＶ画像のデータレートを表すようにしても良い。
【００４８】
上述のように本発明のフェムトセル基地局は、デジタルテレビ放送のコンテンツを無線受信する受信部と、受信部で受信したデジタルテレビ放送のコンテンツを送信する送信部を備えて、テレビ放送のコンテンツを送信するようにしているので、家屋や建物の内部等においてもテレビ放送を良好な受信品質で受信できるようにすることができる。
【００４９】
また、本発明のフェムトセル基地局は、テレビ放送のコンテンツをブロードキャストまたはマルチキャストチャネルを用いて送信するので、複数のユーザが同時に同じチャンネルを受信する場合において下り周波数リソースを共用することができ、また、テレビ放送のコンテンツと共に電子番組情報を送信するので、ユーザは現在送信されているテレビ放送のコンテンツを知ることができ、ユーザの選択するコンテンツが既にブロードキャストまたはマルチキャストチャネルで送信されている場合には、上り通信チャネルを使って携帯電話端末から基地局チューナーに指示を送る必要がなくなるので、通信用リソースの有効利用を図ることができる。
【００５０】
また、本発明のフェムトセル基地局は、複数のＴＶコンテンツをブロードキャストまたはマルチキャストチャネルで送信する場合には、ＴＶコンテンツの数に応じてＴＶコンテンツへのリソースの割り当てを変更して送信するので不必要にユニキャストチャネルのリソースを消費することがない。
【００５１】
また、フェムトセル基地局が、地上デジタルテレビ放送のチューナーだけでなく、衛星放送（ＢＳデジタルテレビ放送、ＣＳデジタルテレビ放送）のチューナーや、インターネット放送局のコンテンツ再生装置をも組み込むことで、携帯電話端末は、携帯電話端末のチューナーを使うよりも多くのコンテンツを受信可能となる。
【００５２】
また、本発明の携帯電話端末は、位置登録したフェムトセル基地局からデジタル放送のコンテンツをブロードキャストまたはマルチキャストで受信するセルラー受信部（第１の受信部）と、放送局からデジタル放送のコンテンツを受信するチューナー（第２の受信部）とを備え、チューナーで受信するデジタル放送のチャンネルの受信品質が悪いときは、受信品質が悪かったチャンネルのコンテンツをセルラー受信部で受信し、または、チューナーでデジタル放送のコンテンツを受信しているときにチャンネルの選局が行われて、選局されたチャンネルの受信品質が悪いときは、受信品質が悪かったチャンネルのコンテンツをセルラー受信部で受信するので、テレビ放送を良好な受信品質で受信することが可能となる。
【００５３】
また、本発明の携帯電話端末は、位置登録したフェムトセル基地局からデジタル放送のコンテンツをブロードキャストまたはマルチキャストで受信すると共に電子番組表の情報を受信するセルラー受信部と、情報を表示する表示部とを備え、セルラー受信部でデジタル放送のコンテンツを受信しているときにチャンネルの選局する際に、セルラー受信部を介して受信した電子番組表の情報を表示部に表示するので、ユーザは現在送信されているテレビ放送のコンテンツを知ることができ、ユーザが選局しようとするコンテンツが既にブロードキャストまたはマルチキャストチャネルで送信されている場合には、フェムトセル基地局にＴＶコンテンツの送出要求をせず、ただちにコンテンツの受信に移行することができる。
【符号の説明】
【００５４】
１０  フェムトセル基地局
１１  ＴＶアンテナ
１２，１２１〜１２Ｎ  ＴＶチューナー
１３１〜１３Ｎ  チューナー制御部
１４  マルチプレクサ
１５  マルチキャストチャネルベースバンド部
１６，１７  ユニキャストチャネルベースバンド部
１８  セルラー帯送信ＲＦ部
１９  セルラー帯受信ＲＦ部
２０  デュプレックス
２１  セルラー帯アンテナ
２２  制御部
２３  ネットワークインターフェース部
３０  携帯電話端末
【図１】
2013038513.tif 000003
【図２】
2013038513.tif 000004
【図３】
2013038513.tif 000005
【図４】
2013038513.tif 000006
【図５】
2013038513.tif 000007
【図６】
2013038513.tif 000008
【図７】
2013038513.tif 000009
【図８】
2013038513.tif 000010
【図９】
2013038513.tif 000011
【図１０】
2013038513.tif 000012